(57)【要約】      （修正有）【課題】リフレクタに対するゴムカバーの組み付けが容易な車両用灯具を提供する。【解決手段】ゴムカバー３０は、灯具ハウジング２０の後端開口縁２０Ａの外周面に嵌着されるスカート部３４と、リフレクタ１４のボス部１４Ａの外周面に装着される筒状部３６とを備えている。ゴムカバーの筒状部の内径は、リフレクタのボス部の外径に対して略同寸法又は大きく設定されている。ゴムカバーの筒状部をリフレクタのボス部の外周面に押圧するリング状の弾性部材２４Ａが、ホルダ２４に一体形成されている。ゴムカバーの筒状部の内径を、リフレクタのボス部の外径に対して略同寸法又は大きく設定したので、リフレクタに対するゴムカバーの組み付けが容易となり、かつ、バルブを固定するためのホルダに、ゴムカバーの筒状部をリフレクタのボス部の外周面に押圧する弾性部材を設けたので、耐水性を確保することができる。【選択図】図３
2010218968.tif 000002
【特許請求の範囲】
【請求項１】
灯具ハウジングと、前記灯具ハウジング内に設けられたリフレクタと、前記リフレクタの後端部から後方に突出されたボス部にホルダを介してねじ固定されたバルブと、前記灯具ハウジングの後端開口縁の外周面に嵌着されるスカート部及び前記リフレクタの前記ボス部の外周面に装着される筒状部を備えたゴムカバーとを有する車両用前照灯において、
前記ゴムカバーの前記筒状部の内径は、前記リフレクタの前記ボス部の外径に対して略同寸法又は大きく設定され、
前記ゴムカバーの前記筒状部を前記リフレクタの前記ボス部の外周面に押圧する弾性部材が、前記ホルダに形成されていることを特徴とする車両用灯具。
【発明の詳細な説明】
【技術分野】
【０００１】
本発明は車両用灯具に係り、特に車両用灯具を構成する灯具ハウジングとリフレクタとの間の隙間を閉塞するゴムカバーの取付構造に関するものである。
【背景技術】
【０００２】
特許文献１に開示された車両用灯具は、灯具ハウジングの後部内面に放物面状のリフレクタが内装されるとともに、リフレクタの反射面鏡の光軸上における略焦点位置にフィラメントが位置するように光源用のバルブが支持され、バルブを点灯させることにより灯具前方へ平行光束を照射するように構成されている。前記バルブは、リフレクタの後部に開設されたソケット固定孔に対してバルブソケットが着脱自在に固定され、このバルブソケットをソケット固定孔から取り外すことにより、バルブの交換作業が実施される。
【０００３】
また、特許文献１に開示された、灯具ハウジングとバルブソケットとの間の隙間を閉塞するソケットカバーは、灯具ハウジング側の後部開口縁の外周に嵌着されるスカート部と、リフレクタの後端部から突出したバルブソケットに嵌着させる筒状部から構成されている。
【０００４】
特許文献１のソケットカバーは、灯具ハウジングとバルブソケットとの間の隙間を閉塞するものであるが、灯具ハウジングとリフレクタとの間の隙間を閉塞するゴムカバーの取付構造の一例を図７に示す。
【０００５】
図７において、符号１は灯具ハウジング、符号２はリフレクタ、符号３はバルブ、符号４がゴムカバーである。このゴムカバー４は前述の如く、灯具ハウジング１の後部開口縁１Ａの外周面に嵌着されるスカート部４Ａと、リフレクタ２の後部に開設されたソケット固定孔を形成するためのボス部２Ａの外周面に嵌着させる筒状部４Ｂとから構成されている。
【０００６】
また、ゴムカバー４は、灯具の耐水性を確保するために、ゴムカバー４の筒状部４Ｂの内径（Ｂ）が、リフレクタ２のボス部２Ａの外径（Ａ）よりも小さく設定（Ａ＞Ｂ）されており、ゴムカバー４の筒状部４Ｂをリフレクタ２のボス部２Ａに組み付け、ゴムカバー４の伸びを利用した圧縮力（弾性力）で筒状部４Ｂをボス部２Ａの外周面に密着させることにより耐水性を確保している。
【０００７】
なお、図７の符号５は、バルブ３を保持するホルダであり、このホルダ５は板状で、かつバルブ３を保持する開口部がその中央部に開口されている。このホルダ５がねじ６によってボス部２Ａに固定されることにより、バルブ３がホルダ５を介してリフレクタ２に固定される。
【先行技術文献】
【特許文献】
【０００８】
【特許文献１】特開平８−１７２０７号公報
【発明の概要】
【発明が解決しようとする課題】
【０００９】
しかしながら、図７に示された車両用灯具のゴムカバー４は、ゴムカバー４の筒状部４Ｂの内径（Ｂ）を、リフレクタ２のボス部２Ａの外径（Ａ）よりも小さく設定しているため、リフレクタ２に対するゴムカバー４の組み付けが困難であった。これにより、ゴムカバー４をボス部２Ａの正しい位置に組み付けることが難しく、耐水性を確保できない場合があった。また、ボス部２Ａに対してゴムカバー４が正しい位置に組み付けされているか目視では確認することが困難であった。
【００１０】
本発明は、このような事情に鑑みてなされたものであり、リフレクタに対するゴムカバーの組み付けが容易な車両用灯具を提供することを目的とする。
【課題を解決するための手段】
【００１１】
本発明は、前記目的を達成するために、灯具ハウジングと、前記灯具ハウジング内に設けられたリフレクタと、前記リフレクタの後端部から後方に突出されたボス部にホルダを介してねじ固定されたバルブと、前記灯具ハウジングの後端開口縁の外周面に嵌着されるスカート部及び前記リフレクタの前記ボス部の外周面に装着される筒状部を備えたゴムカバーとを有する車両用前照灯において、前記ゴムカバーの前記筒状部の内径は、前記リフレクタの前記ボス部の外径に対して略同寸法又は大きく設定され、前記ゴムカバーの前記筒状部を前記リフレクタの前記ボス部の外周面に押圧する弾性部材が、前記ホルダに形成されていることを特徴とする車両用灯具を提供する。
【００１２】
本発明によれば、ゴムカバーの筒状部の内径を、リフレクタのボス部の外径に対して略同寸法又は大きく設定することにより、リフレクタのボス部に対するゴムカバーの組み付けを容易とし、かつ、バルブを固定するためのホルダに、ゴムカバーの筒状部をリフレクタのボス部の外周面に押圧する弾性部材を設けることにより、耐水性を確保している。
【００１３】
すなわち、本発明は、ホルダにバルブを固定する機能、及びゴムカバーとリフレクタの耐水性を確保する機能とを持たせている。ホルダが持つ前記耐水性の機能は、ホルダに形成された弾性部材によって得られるものであるが、この弾性部材は主として折曲形状に形成され、この折曲部を、ゴムカバーの筒状部の外径より小さく設定することにより、ホルダでゴムカバーの筒状部をリフレクタのボス部に押さえ付けて耐水性を確保することができる。また、ホルダがねじ固定となることで、ねじ止め位置を目視すればホルダが正規位置にあるという目視確認が容易になるので、ホルダとの位置が定まっているゴムカバーの誤装着を防止することができる。
【発明の効果】
【００１４】
本発明に係る車両用灯具によれば、ゴムカバーの筒状部の内径を、リフレクタのボス部の外径に対して略同寸法又は大きく設定したので、リフレクタに対するゴムカバーの組み付けが容易となり、また、バルブを固定するためのホルダに、ゴムカバーの筒状部をリフレクタのボス部の外周面に押圧する弾性部材を設けたので、ゴムカバーとリフレクタの耐水性を確保することができる。
【００１５】
また、ゴムカバーのリフレクタへの組み付けが容易になることで、ゴムカバーの組立時間を短縮することができ、更に、ホルダをねじ固定しているため、確実に性能を満足できるようゴムカバーをリフレクタに組み付けることができる。
【図面の簡単な説明】
【００１６】
【図１】実施の形態のゴムカバーが適用される車両用前照灯の縦断面図
【図２】灯具ユニットに対するゴムカバーの取付構造を示した要部詳細図
【図３】リフレクタに対するゴムカバーの取付構造を示した要部拡大断面図
【図４】ホルダに形成された弾性部材の第１の変形例を示した要部拡大断面図
【図５】ホルダに形成された弾性部材の第２の変形例を示した要部拡大断面図
【図６】ホルダに形成された弾性部材の第３の変形例を示した要部拡大断面図
【図７】従来の車両用灯具のゴムカバーの取付構造を示した要部説明図
【発明を実施するための最良の形態】
【００１７】
以下、添付図面に従って本発明に係る車両用灯具の好ましい実施の形態について詳説する。
【００１８】
図１は、実施の形態のゴムカバーが適用される車両用前照灯１０の縦断面図である。なお、同図は車両用前照灯１０の光学系を含む主要部を示した図であり、ゴムカバーは図示されておらず、ゴムカバーは図２の要部詳細図に示されている。
【００１９】
図１に示す車両用前照灯１０は、光源であるバルブ１２、リフレクタ１４、遮光板１６、及び投影レンズ１８からなり、これらの灯具ユニットが灯具ハウジング２０内に収納されて車両用前照灯１０が構成されている。
【００２０】
バルブ１２は、メタルハライドバルブ等の放電バルブ或いはハロゲンバルブ等の各種光源であり、図２の如くリフレクタ１４の後端部から後方に突出された筒状のボス部１４Ａに、金属製のホルダ２６を介してねじ２８によって固定される。このホルダ２４は板状で、かつバルブ１２を保持する開口部がその中央部に開口されている。
【００２１】
図１の如く投影レンズ１８は、光出射面１８Ａが凸面で光入射面１８Ｂが平面の平凸レンズで構成されている。また、投影レンズ１８は、バルブ１２側であって、遮光板１６の上縁部の近傍に焦点Ｆを備え、その焦点Ｆを含む焦点面上の像を反転像として前方に投影する。なお、図１の符号２２は、投影レンズ１８を保持するレンズホルダであり、このレンズホルダ２２は、筒状に形成されてその基端部がリフレクタ１４に遮光板１６を介して連結されている。
【００２２】
リフレクタ１４は、バルブ１２の近傍に第一焦点Ｆ１を有するとともに、遮光板１６の上縁部の近傍に第二焦点Ｆ２を有する楕円系反射面である。
【００２３】
遮光板１６は、すれ違いビーム用配光パターンを形成するために、バルブ１２から投影レンズ１８に向う上向きの光を遮光するとともに、その上縁部がリフレクタ１４の長軸に略接する高さに設定されている。
【００２４】
このように構成された車両用前照灯１０によれば、バルブ１２を点灯すると、バルブ１２から上方に照射された輝度の高い光束は、リフレクタ１４で反射されて第二焦点Ｆ２で焦点を結び、遮光板１６の上縁部を照射して投影レンズ１８の光入射面１８Ｂに入射する。そして、投影レンズ１８の光出射面１８Ａから出射することで、周知のすれ違いビーム用配光パターンを形成する。
【００２５】
次に、図２、図３を参照して実施の形態のゴムカバー３０の取付構造を説明する。
【００２６】
このゴムカバー３０は、灯具ハウジング２０の後端開口縁２０Ａとリフレクタ１４の後部に開設されたソケット固定孔１５を形成するためのボス部１４Ａとの間の隙間３２を耐水性よく閉塞するものである。
【００２７】
ゴムカバー３０は、灯具ハウジング２０の後端開口縁２０Ａの外周面に嵌着されるスカート部３４と、リフレクタ１４のボス部１４Ａの外周面に装着される筒状部３６とを備えている。また、ゴムカバー３０のスカート部３４及び筒状部３６の内周には、それぞれ周方向に沿った複数のスリット３５、３５…が形成されている。
【００２８】
このゴムカバー３０の筒状部３６の内径（Ｂ）は、リフレクタ１４のボス部１４Ａの外径（Ａ）に対して略同寸法又は大きく設定されている。そして、ゴムカバー３０の筒状部３６をリフレクタ１４のボス部１４Ａの外周面に押圧するリング状の弾性部材２４Ａが、ホルダ２４に一体形成されている。
【００２９】
すなわち、実施の形態のゴムカバー取付構造は、ホルダ２４にバルブ１２を固定する機能、及びゴムカバー３０とリフレクタ１４の耐水性を確保する機能を持たせている。ホルダ２４が持つ耐水性の機能は、ホルダ２４に一体形成された弾性部材２４Ａによって得られるものである。この弾性部材２４Ａは図３の如く、円弧状に折曲形成され、この折曲部を、ゴムカバー３０の筒状部３６の外径より小さく設定することにより、弾性部材２４Ａによってゴムカバー３０の筒状部３６を、リフレクタ１４のボス部１４Ａに押さえ付けることができ、これによって、ゴムカバー３０とボス部１４Ａとの隙間を埋めるため、耐水性を確保することができる。また、ホルダ２４がねじ固定されることから、ねじ止め位置を目視すればホルダ２４が正規位置にあるという目視確認が容易になるので、ホルダ２４との位置が定まっているゴムカバー３０の誤装着を防止することができる。
【００３０】
したがって、実施の形態のゴムカバー取付構造によれば、ゴムカバー３０の筒状部３６の内径（Ｂ）を、リフレクタ１４のボス部１４Ａの外径（Ａ）に対して略同寸法又は大きく設定しているので、リフレクタ１４に対するゴムカバー３０の組み付けが容易となり、かつ、バルブ１２を固定するためのホルダ２４に、ゴムカバー３０の筒状部３６をリフレクタ１４のボス部１４Ａの外周面に押圧する弾性部材２４Ａを設けたので、耐水性を確保することができる。
【００３１】
図４は、ホルダ２４に形成された弾性部材２４Ｂの第１の変形例を示した要部断面図である。この弾性部材２４Ｂは、内側に円弧状に折曲され、その折曲された円弧状部でゴムカバー３０の筒状部３６をリフレクタ１４のボス部１４Ａの外周面に押圧し、耐水性を確保するものである。
【００３２】
図５は、弾性部材２４Ｃの第２の変形例を示した要部断面図である。この弾性部材２４Ｃは、断面円弧状に形成されるとともにホルダ２４とは別部材で構成され、ホルダ２４に接着固定されるものである。この弾性部材２４Ｃの円弧状でゴムカバー３０の筒状部３６をリフレクタ１４のボス部１４Ａの外周面に押圧し、耐水性を確保するものである。
【００３３】
図６は、弾性部材２４Ｄの第３の変形例を示した要部断面図である。この弾性部材Ｄは、連続する２つの波状部を備え、これらの波状部でゴムカバー３０の筒状部３６をリフレクタ１４のボス部１４Ａの外周面に押圧し、耐水性を確保するものである。
【００３４】
なお、上述した実施の形態では、車両用前照灯１０に本発明のゴムカバー取付構造を適用した例について説明したが、車両のテールランプ、フォグランプなど車両全般の灯具に本発明のゴムカバー取付構造を適用することができる。
【符号の説明】
【００３５】
１０…車両用灯具、１２…放電バルブ、１４…リフレクタ、１６…遮光板、１８…投影レンズ、２０…灯具ハウジング、２２…レンズホルダ、２４…ホルダ、２４Ａ、２４Ｂ、２４Ｃ、２４Ｄ…弾性部材、２８…ねじ、３０…ゴムカバー、３２…隙間、３４…スカート部、３６…筒状部
【図１】
2010218968.tif 000003
【図２】
2010218968.tif 000004
【図３】
2010218968.tif 000005
【図４】
2010218968.tif 000006
【図５】
2010218968.tif 000007
【図６】
2010218968.tif 000008
【図７】
2010218968.tif 000009